(57)【要約】【課題】ＣＤからＭＤにダビングする際に、ＣＤのテキスト情報をＭＤのＵ−ＴＯＣに自動でグループ管理を行って記録する。【解決手段】ＣＤシステムと、複数のＣＤのデータが記録可能なＭＤＬＰ対応のＭＤシステムとで構成される複合オーディオシステムにおいて、ＣＤからＭＤへダビングする際に、ＣＤのテキスト情報がハードウエア処理でＣＤシステムからＭＤシステムに送信される。ＭＤシステムでは、送信されてきたテキスト情報に関連付けたグループ管理を施すことにより、ＣＤのディスク単位でグループ化されたＭＤのＤｉｓｃ  Ｎａｍｅ  １３、ＣＤのＤｉｓｃ  Ｎａｍｅ  １５及びＴｒａｃｋ  Ｎｕｍｂｅｒ  １４からなる階層構造を構成して、ＭＤに音楽情報を記録する。【選択図】  図１３
2004355780.tif 000002
【特許請求の範囲】
【請求項１】
複数の第１のメディアの有する情報を順次再生して１つの第２のメディアに記録するようにしたオーディオシステムであって、
主情報及びメディア全体に関する全体情報を有する前記第１のメディアについて、前記複数の第１のメディアの前記主情報を前記第２のメディアに記録するに際し、前記複数の第１のメディアの前記主情報を、各第１のメディアの全体情報に基づいて、各第１のメディア別にグループ管理して、前記第２のメディアに記録する記録管理手段を備える
ことを特徴とするオーディオシステム。
【請求項２】
請求項１記載のオーディオシステムにおいて、
前記第１のメディアを再生する再生装置と、
前記複数の第１のメディアの前記主情報を前記第２のメディアに記録する記録再生装置と、
前記各第１のメディアの前記全体情報を前記再生装置から前記記録再生装置に送信する全体情報通信手段とを備える
ことを特徴とするオーディオシステム。
【請求項３】
請求項２記載のオーディオシステムにおいて、
前記第１のメディアはＣＤであり、
前記第２のメディアはＭＤであり、
前記再生装置はＣＤ再生装置であり、
前記記録再生装置はＭＤ録音再生装置であり、
前記全体情報は少なくとも前記ＣＤのディスクタイトルの情報を有し、
前記記録管理手段は、前記ディスクタイトルの情報に基づいて、前記ＭＤのＵ−ＴＯＣ上で前記各ＣＤ別にグループ管理する
ことを特徴とするオーディオシステム。
【請求項４】
請求項３記載のオーディオシステムにおいて、
前記全体情報通信手段は、前記ＣＤ再生装置の有する信号処理装置を制御する第１のＬＳＩと、前記ＭＤ録音再生装置の有する信号処理装置を制御する第２のＬＳＩとでサブコードインターフェイスを介して前記全体情報の送受信を行うものである
ことを特徴とするオーディオシステム。
【請求項５】
請求項３記載のオーディオシステムにおいて、
前記全体情報通信手段は、前記ＣＤ再生装置のシステムを制御するＣＤ制御マイコンと、前記ＭＤ録音再生装置のシステムを制御するＭＤ制御マイコンとにより前記全体情報の送受信を行うものである
ことを特徴とするオーディオシステム。
【請求項６】
請求項５記載のオーディオシステムにおいて、
前記全体情報通信手段は、前記ＣＤ制御マイコンと前記ＭＤ制御マイコンとにより、前記ＣＤ再生装置と前記ＭＤ録音再生装置とを制御するシステムコントローラを介して前記全体情報の送受信を行うものである
ことを特徴とするオーディオシステム。
【請求項７】
請求項３、４、５又は６記載のオーディオシステムにおいて、
前記ＭＤ録音再生装置は、前記ＣＤの有する全ての前記全体情報に基づいてグループ管理を施し、
選択した少なくとも１つの前記全体情報に基づいて、前記ＭＤ上に記録された前記主情報を前記ＣＤのディスク単位で再生する
ことを特徴とするオーディオシステム。
【請求項８】
複数の第１のメディアの有する情報を順次再生して１つの第２のメディアに記録するようにしたオーディオシステムであって、
主情報を有し、且つメディア全体に関する全体情報を有しない前記第１のメディアについて、前記複数の第１のメディアの前記主情報を前記第２のメディアに記録するに際し、前記複数の第１のメディアをメディア別に識別するための識別情報を生成し、前記複数の第１のメディアの前記主情報を、前記生成された識別情報に基づいて、各第１のメディア別にグループ管理して、前記第２のメディアに記録する記録管理手段を備える
ことを特徴とするオーディオシステム。
【発明の詳細な説明】
【０００１】
【発明の属する技術分野】
本発明は、ＣＤやＭＤなどのように、記録された情報を管理する管理情報をもつメディアに対して、再生及び記録を行うオーディオシステムにおいて、再生側メディアの有するテキスト情報等の管理情報を自動で記録するオーディオシステムに関する。
【０００２】
【従来の技術】
従来、例えば、ＣＤからＭＤへ音楽情報をダビングするといったような、あるメディアから別のメディアへ記録情報をダビングする際、主情報である音楽情報はオーディオシステムにより記録されるが、その音楽情報を管理する管理情報の１つであるディスクタイトル等のテキスト情報は編集ツール等のソフトウエアを用いてユーザーがマニュアル操作により入力するのが一般的である。
【０００３】
しかしながら、例えば、ＣＤのディスクタイトル等のテキスト情報をＭＤへ、編集ツール等のソフトウエアを用いてマニュアル操作により入力する作業は非常に手間がかかるものである。
【０００４】
そこで、従来、高機能なオーディオシステムには、ＣＤからＭＤへ音楽情報をダビングする際、ＣＤのサブコードに記録されたテキスト情報をＭＤへ記録できるようにしているものがある。
【０００５】
ところで、従来、このような高機能なオーディオシステムにおいて、ＣＤからＭＤへ音楽情報をダビングする際、ＣＤのサブコードに記録されたテキスト情報をＭＤへ記録する場合に、ＭＤＬＰ（ＭＤ  Ｌｏｎｇ  Ｐｌａｙ）対応の録音再生ＭＤシステムを有していれば、例えば、８０分ディスクには、ＡＴＲＡＣ（Ａｄａｐｔｉｖｅ  Ｔｒａｎｓｆｏｒｍ  Ａｃｏｕｓｔｉｃ  Ｃｏｄｉｎｇ）３のＬＰ４モードで最大３２０分までの音楽情報をテキスト情報とともに記録する機能を持ったものがある。
【０００６】
以上に述べた技術に関しては、特許文献１〜６に記載がある。
【０００７】
【特許文献１】
特開平９−１０６６６１号公報（第１３頁、第７図）
【特許文献２】
特開平１０−１４４０５７号公報（第５頁、第１図）
【特許文献３】
特開平１１−１１０９１２号公報（第２３頁、第２４図）
【特許文献４】
特開２０００−３０４１６号公報（第５頁、第１図）
【特許文献５】
特開２０００−１３７９７５号公報（第６頁、第１図）
【特許文献６】
特開２０００−１７３１７４号公報（第２１頁、第１図）
【０００８】
【発明が解決しようとする課題】
しかし、前記従来のオーディオシステムでは、１枚のＭＤディスクに複数枚のＣＤの音楽情報を記録する場合、ＭＤディスクにはそれらの音楽情報及びテキスト情報が一様に並べられたフラットな状態で記録される。このため、複数枚のＣＤの音楽情報を記録した１枚のＭＤを再生する場合、ＣＤのディスク単位で音楽情報を把握することができず、例えば、ＭＤ上では、ディスクタイトル又はアーティスト等の元のＣＤのテキスト情報をディスク毎に表示及び選択することが困難であるために、ディスク毎の頭出しの再生が容易にできないなどの欠点があった。
【０００９】
本発明は、前記課題を解決するものであり、その目的は、複数枚のＣＤから１枚のＭＤへ音楽情報をダビングした場合のように、ＣＤなどのテキスト情報をディスク毎に表示又は選択できて、ディスク毎の頭出し再生を容易に行い得るようにすることにある。
【００１０】
【課題を解決するための手段】
以上の目的を達成するために、本発明では、複数枚のディスクを１枚のディスク上に記録する際、再生側のディスクの有するタイトル等のディスク情報を各ディスク毎にグルーピングして記録することとする。
【００１１】
すなわち、請求項１記載の発明のオーディオシステムは、複数の第１のメディアの有する情報を順次再生して１つの第２のメディアに記録するようにしたオーディオシステムであって、主情報及びメディア全体に関する全体情報を有する前記第１のメディアについて、前記複数の第１のメディアの前記主情報を前記第２のメディアに記録するに際し、前記複数の第１のメディアの前記主情報を、各第１のメディアの全体情報に基づいて、各第１のメディア別にグループ管理して、前記第２のメディアに記録する記録管理手段を備えることを特徴とする。
【００１２】
請求項２記載の発明は、請求項１記載のオーディオシステムにおいて、前記第１のメディアを再生する再生装置と、前記複数の第１のメディアの前記主情報を前記第２のメディアに記録する記録再生装置と、前記各第１のメディアの前記全体情報を前記再生装置から前記記録再生装置に送信する全体情報通信手段とを備えることを特徴とする。
【００１３】
請求項３記載の発明は、請求項２記載のオーディオシステムにおいて、前記第１のメディアはＣＤであり、前記第２のメディアはＭＤであり、前記再生装置はＣＤ再生装置であり、前記記録再生装置はＭＤ録音再生装置であり、前記全体情報は少なくとも前記ＣＤのディスクタイトルの情報を有し、前記記録管理手段は、前記ディスクタイトルの情報に基づいて、前記ＭＤのＵ−ＴＯＣ上で前記各ＣＤ別にグループ管理することを特徴とする。
【００１４】
請求項４記載の発明は、請求項３記載のオーディオシステムにおいて、前記全体情報通信手段は、前記ＣＤ再生装置の有する信号処理装置を制御する第１のＬＳＩと、前記ＭＤ録音再生装置の有する信号処理装置を制御する第２のＬＳＩとでサブコードインターフェイスを介して前記全体情報の送受信を行うものであることを特徴とする。
【００１５】
請求項５記載の発明は、請求項３記載のオーディオシステムにおいて、前記全体情報通信手段は、前記ＣＤ再生装置のシステムを制御するＣＤ制御マイコンと、前記ＭＤ録音再生装置のシステムを制御するＭＤ制御マイコンとにより前記全体情報の送受信を行うものであることを特徴とする。
【００１６】
請求項６記載の発明は、請求項５記載のオーディオシステムにおいて、前記全体情報通信手段は、前記ＣＤ制御マイコンと前記ＭＤ制御マイコンとにより、前記ＣＤ再生装置と前記ＭＤ録音再生装置とを制御するシステムコントローラを介して前記全体情報の送受信を行うものであることを特徴とする。
【００１７】
請求項７記載の発明は、請求項３、４、５又は６記載のオーディオシステムにおいて、前記ＭＤ録音再生装置は、前記ＣＤの有する全ての前記全体情報に基づいてグループ管理を施し、選択した少なくとも１つの前記全体情報に基づいて、前記ＭＤ上に記録された前記主情報を前記ＣＤのディスク単位で再生することを特徴とする。
【００１８】
請求項８記載の発明は、複数の第１のメディアの有する情報を順次再生して１つの第２のメディアに記録するようにしたオーディオシステムであって、主情報を有し、且つメディア全体に関する全体情報を有しない前記第１のメディアについて、前記複数の第１のメディアの前記主情報を前記第２のメディアに記録するに際し、前記複数の第１のメディアをメディア別に識別するための識別情報を生成し、前記複数の第１のメディアの前記主情報を、前記生成された識別情報に基づいて、各第１のメディア別にグループ管理して、前記第２のメディアに記録する記録管理手段を備えることを特徴とする。
【００１９】
以上により、請求項１及び２記載の発明では、複数の第１のメディアの情報を１つの第２のメディアに記録する際、オーディオシステムは各第１のメディアの全体情報に基づいて主情報をグループ管理し、記録するので、記録された第２のメディア上で元の第１のメディアの主情報をメディア単位毎に把握することが可能になる。
【００２０】
また、請求項３記載の発明では、複数枚のＣＤの情報を、各ＣＤ単位でのグループ管理を施して、１枚のＭＤへ自動記録するので、ＭＤ上において各ＣＤの情報をディスク毎に把握することが可能になる。
【００２１】
更に、請求項４記載の発明では、全体情報通信手段は、サブコードインターフェイスを介してＣＤ再生装置の信号処理装置を制御する第１のＬＳＩから、ＭＤ録音再生装置の信号処理装置を制御する第２のＬＳＩへの通信を行う構成をとるので、第１及び第２のＬＳＩを小規模に変更するだけで全体情報の通信を行うことが可能となる。
【００２２】
続いて、請求項５記載の発明では、全体情報通信手段は、ＣＤ再生装置のシステムを制御するＣＤ制御マイコンとＭＤのシステムを制御するＭＤ制御マイコンとの間に、インターフェイスを設けて通信を行う構成をとるので、ＣＤ再生装置及びＭＤ録音再生装置の信号処理装置を制御するＬＳＩに変更を及ぼすことなく、全体情報の通信を行うことが可能となる。
【００２３】
また、請求項６記載の発明では、全体情報通信手段は、ＣＤ再生装置及びＭＤ録音再生装置を制御するオーディオシステムのシステムコントローラを介する構成をとるので、ＣＤ再生装置及びＭＤ録音再生装置に変更を及ぼす必要なく、容易に全体情報を通信する構成をとることが可能となる。
【００２４】
更に、請求項７記載の発明では、ＭＤ録音再生装置は、ＣＤの有する全体情報の全てに基づいてグループ管理を施すことができるので、その中で選択した１つの全体情報に基づいて、ＭＤ上に記録された情報の中から、ＣＤの情報をディスク単位で呼び出し、再生することが可能となる。
【００２５】
続いて、請求項８記載の発明では、メディア全体に関する全体情報を有していない複数の第１のメディアの主情報を１枚の第２のメディアに記録する際に、各第１のメディアに対してシステムが識別情報を生成し、その生成された識別情報に基づいて、第２のメディア上にグループ管理された記録を行うので、記録された第２のメディア上で元の第１のメディアの情報をメディア単位毎に把握することが可能になる。
【００２６】
【発明の実施の形態】
以下、本発明の実施の形態として、ＣＤシステムとＭＤシステムとで構成され、複数のＣＤの音楽情報を１枚のＭＤへダビングすることが可能なオーディオシステムについて、図面に基づいて説明する。
【００２７】
（第１の実施の形態）
図１はＣＤシステム（再生装置及びＣＤ再生装置）のブロック図であり、コンパクトディスク（以下、ＣＤという）１−１が装填された再生時を示す。ＣＤ（第１のメディア）１−１上の記録データは光ピックアップ１−７で読み取られ、その読み取られた信号はＲＦアンプ１−８で増幅される。この増幅された信号のうち、駆動系制御を行う際の情報を与える信号がサーボ制御装置１−６へ送られ、サーボ制御装置１−６は、その送られた信号に基づき、ＣＤ制御マイコン１−２からの指令を受けて、駆動系及び信号読み取り系装置（光ピックアップ１−７、スピンドルモータ１−９及び送りモータ１−１０）のフィードバック制御を行う。一方、増幅された信号のうち、音声信号等の音楽情報（主情報）は信号処理装置１−３へ送られ、所定の処理、具体的には、クロスフェードや誤り訂正等を施された後、ＤＡコンバータ１−１１に送信される。そして、ＤＡコンバータ１−１１に送られた音声信号は、ＤＡ変換を施されてアナログの音声信号として出力される。ここで、１−１４は信号処理装置１−３及びサーボ制御装置１−６を制御するＬＳＩ（第１のＬＳＩ）を示している。尚、前述したＣＤ制御マイコン１−２のシステム制御状態は、その状態を表示する表示装置１−１２により出力され、また、ＣＤ制御マイコン１−２はキー１−１３からのキー入力により操作される。
【００２８】
図２はＭＤシステム（記録再生装置及びＭＤ録音再生装置）のブロック図であり、２−１は第２のメディアであるミニディスク（以下、ＭＤという）が装填された状態を示す。ここでは、同図に基づいて記録動作について説明する。ＭＤシステムでは、サーボ制御２−６、磁気ヘッド／光ピックアップ２−７、ＲＦアンプ２−８、スピンドルモータ２−９及び送りモータ２−１０の構成においては、記録時の磁界変調オーバーライト方式による情報の書き込みを行う磁気ヘッド／光ピックアップ２−７以外については、図１に示したＣＤシステムと同様であるので、説明を省略する。ＭＤシステムでは、アナログ入力されたオーディオ信号はＡＤ／ＤＡコンバータ２−１１によりＡＤ変換され、音声圧縮伸長処理装置２−４に送信される。音声圧縮伸長処理装置２−４に入力されたデジタル信号は、ＭＤ制御マイコン２−２の送信する記録モードの指令により音声圧縮処理が施され、デジタルデータとしてＤＲＡＭ２−５に格納される。ＤＲＡＭ２−５に格納されたデジタルデータは、所定量以上貯まった段階で、ＭＤ制御マイコン２−２からの指令により、信号処理装置２−３に送信され、更に前述した駆動系装置に送られて、磁気ヘッド／光ピックアップ２−７によりＭＤ上に記録される。ここで、２−１４は信号処理装置２−３、音声圧縮伸長処理２−４及びサーボ制御装置２−６を制御するＬＳＩ（第２のＬＳＩ）を示している。尚、これらの記録動作に対して、記録されたデータを再生する場合は、前述した記録の逆のルートにより行われる。
【００２９】
以下に、少なくともディスクタイトル等のＣＤ全体に関するテキスト情報を有するＣＤの音楽情報を、ＣＤシステムで再生してＭＤシステムによりＭＤに記録する場合において、ＣＤ再生装置からＭＤ録音再生装置へ前記テキスト情報を送信する通信形態を図３、図４及び図５に基づいて説明する。
【００３０】
図３は本実施の形態におけるオーディオシステムを構成するＣＤシステムからＭＤシステムへ、テキスト情報を送信する構成例を示した模式図である。
【００３１】
同図中、１−１４はＣＤシステムのＬＳＩ装置（第１のＬＳＩ）を示しており、図１に示したサーボ制御装置１−６と信号処理装置１−３とを制御する構成になっている。また、２−１４はＭＤシステムのＬＳＩ装置（第２のＬＳＩ）を示しており、図２に示した音声圧縮伸長処理装置２−４と信号処理装置２−３とサーボ制御装置２−６とを制御する構成になっている。
【００３２】
ここで、ＣＤのテキスト情報について、図６、図７、図８及び図９を用いて説明する。
【００３３】
図６はＣＤのサブコードを示す。図中、Ｓ０及びＳ１は同期パターンであり、Ｐ１〜Ｐ９６とＱ１〜Ｑ９６とはＣＤシステムがＣＤにアクセスするための情報を与えるコードである。また、Ｒ１〜Ｒ９６、Ｓ１〜Ｓ９６、Ｔ１〜Ｔ９６、Ｕ１〜Ｕ９６、Ｖ１〜Ｖ９６及びＷ１〜Ｗ９６はＣＤテキストを記録するために使用されるコードである。１サブコードブロックは、Ｓ０、Ｓ１、Ｐ１〜Ｐ９６、Ｑ１〜Ｑ９６、Ｒ１〜Ｒ９６、Ｓ１〜Ｓ９６、Ｔ１〜Ｔ９６、Ｕ１〜Ｕ９６、Ｖ１〜Ｖ９６及びＷ１〜Ｗ９６で構成される。
【００３４】
また、図７は、ＣＤテキストを記録するために使用されるサブコードＲ〜Ｗを示す。同図は１サブコードブロックを示しており、１サブコードブロックは４ｐａｃｋで構成される。
【００３５】
次に、図８は、ＣＤテキストの構成図である。ＣＤテキストは、最大８ｂｌｏｃｋ（最大８言語）であり、１ｂｌｏｃｋは最大２５６ｐａｃｋで、更に、１ｐａｃｋは４ｂｙｔｅのテキスト情報の種類を示すデータであるヘッダーと、１２ｂｙｔｅのテキスト情報と、２ｂｙｔｅのエラー検出用のデータであるＣＲＣ（Ｃｙｃｌｉｃ  Ｒｅｄｕｎｄａｎｃｙ  Ｃｈｅｃｋ）とから構成される。
【００３６】
更に、図９（ａ）は、ＣＤテキストのヘッダーのデータＩＤ１を示す。同図のデータＩＤ１は、下の８０ｈ〜８ｆｈに示したような内容の情報が入る。
【００３７】
続いて、図９（ｂ）は、ＣＤテキストのヘッダーのデータＩＤ２を示す。同図のデータＩＤ２は、ｐａｃｋのテキスト情報が格納されている位置から、書かれている文字列がどのトラックに所属しているかを示す。例えば、００ｈはディスク全体を代表し、０１ｈ〜６３ｈはトラックナンバーを示す。
【００３８】
また、図９（ｃ）は、ＣＤテキストのヘッダーのデータＩＤ３を示す。同図のデータＩＤ３は、ｂｌｏｃｋ内の連続番号を示す。
【００３９】
次に、図９（ｄ）は、ＣＤテキストのヘッダーのデータＩＤ４を示す。同図のデータＩＤ４は、ｂｌｏｃｋ番号や現ｐａｃｋの文字位置を示す。ｂｌｏｃｋ番号は、最大で８個記録されているｂｌｏｃｋの内、何番目のｂｌｏｃｋのデータであるかを示す。また、現ｐａｃｋのテキスト文字の何文字目かを示す。ただし、１６文字目以降は全て「１１１１」となる。
【００４０】
本実施の形態では、前記図６〜図９に示した既述のサブコードを、ＣＤシステムのＬＳＩ装置１−１４からＭＤシステムのＬＳＩ装置２−１４に直接的に送受信するために、サブコードインターフェイスが設けられていて、このサブコードインターフェイスを介して前記ＣＤシステムのＬＳＩ装置１−１４とＭＤシステムのＬＳＩ装置２−１４とが直結される。この直結構造により、ＣＤシステムからＣＤの全体情報をＭＤシステムに送信するようにした全体情報通信手段１８を構成している。
【００４１】
従って、本実施の形態では、前記サブコードに含まれる、例えばディスクタイトル情報等の自己のＣＤディスク全体に関するテキスト情報をＣＤシステムから前記サブコードインターフェイスを介してＭＤシステム内のＬＳＩ装置２−１４に直接的に送受信するので、ＭＤシステム内のＬＳＩ装置２−１４で前記テキスト情報を処理することができ、オーディオシステムをコンパクトにできる。
【００４２】
（第２の実施の形態）
続いて、本発明の第２の実施の形態について説明する。
【００４３】
本実施の形態では、ＣＤシステム及びＭＤシステム間の全体情報通信には、第１の実施の形態において示したＣＤのＬＳＩ装置１−１４とＭＤのＬＳＩ装置２−１４との間のサブコードインターフェイスの代わりに、両ＬＳＩ装置１−１４及び２−１４をそれぞれ制御するマイコン間に設けたインターフェイスを使用する。
【００４４】
図４はＣＤのＬＳＩ装置１−１４に接続されたＣＤ制御マイコン１−２とＭＤのＬＳＩ装置２−１４に接続されたＭＤ制御マイコン２−２との間に通信インターフェイスを設けて両マイコンを直結し、ＣＤシステム及びＭＤシステム間で全体情報の通信を行う。この直結構造により、ＣＤシステムからＣＤの全体情報をＭＤシステムに送信するようにした全体情報通信手段１８′を構成している。
【００４５】
同図に示すように、第２の実施の形態では、ＣＤ制御マイコン１−２及びＭＤ制御マイコン２−２のそれぞれにインターフェイスを設けるので、ＣＤシステム及びＭＤシステムの両ＬＳＩは既存のものをそのまま使用することが可能となる。
【００４６】
（第３の実施の形態）
更に、本発明の第３の実施の形態について説明する。
【００４７】
本実施の形態では、ＣＤシステム及びＭＤシステム間の全体情報通信は、第２の実施の形態において示したＣＤ制御マイコン１−２及びＭＤ制御マイコン２−２間のインターフェイスの代わりに、両マイコン間の制御、すなわち、オーディオシステムを制御するシステムコントローラ３を利用することにより行う。
【００４８】
図５はＣＤシステム１−１５及びＭＤシステム２−１５に接続されているシステムコントローラ３を介して行う通信形態を示す。
【００４９】
この通信構造により、ＣＤシステムからＣＤの全体情報をＭＤシステムに送信するようにした全体情報通信手段１８″を構成している。
【００５０】
以上のように、第３の実施の形態では、オーディオシステムのシステムコントローラ３をテキスト情報の通信手段として利用するので、ＣＤシステム及びＭＤシステムはともに既存のシステムを用いることが可能となる。
【００５１】
（第４の実施の形態）
次に、本発明の第４の実施の形態について説明する。
【００５２】
ここでは、まず、ＭＤのテキスト情報を記録するＵ−ＴＯＣ（Ｕｓｅｒ−Ｔａｂｌｅ  ｏｆ  Ｃｏｎｔｅｎｔｓ）のセクタ１及びセクタ４について図１０を用いて説明し、ＣＤ内のトラックの構成については図１１を用い、ＭＤ内のトラックの構成について図１２、図１３及び図１４を用いて説明する。
【００５３】
図１０は、ＭＤのＵ−ＴＯＣのセクタ１の構成図を示す。Ｕ−ＴＯＣのセクタ４は、文字コードの追記があるが、それ以外は同じ構成であるので、ここではセクタ１のみを示す。
【００５４】
本発明では、ＣＤからＭＤへ音楽情報をダビングする時に、記録する音楽情報をＣＤのディスク単位でグループ管理するために、図１０に示したＭＤのＵ−ＴＯＣ上のＤｉｓｃ  ｎａｍｅの記述欄１７に、ＣＤのテキスト情報に基づくグループ名を付して自動記録する。具体的には、記述欄１７への記述の基本型は、例えば、Ｔｒａｃｋ１とＴｒａｃｋ２、Ｔｒａｃｋ３とＴｒａｃｋ４、及びＴｒａｃｋ５とＴｒａｃｋ６の音楽情報をそれぞれ有する３枚のＣＤについて、各ディスク毎のグループを作成し、ＭＤ上に録音する場合、音楽情報のＴｒａｃｋ１及びＴｒａｃｋ２を有する１枚目のＣＤに対しては、最初と最後のトラックナンバー間に「‐」を挟んで「ＴＮＯ１‐ＴＮＯ２」とすることによりグループ化を施し、そのグループ化情報とグループ名、例えば「ＧＲＯＵＰ  Ｎａｍｅ１」との間を「；」で区切ることにより１つのグループ「ＴＮＯ１‐ＴＮＯ２；ＧＲＯＵＰ  Ｎａｍｅ１」が作成される。そして、次のＣＤに対して作成されるグループとの間を「／／」で区切り、順次グループを作成して、最後のグループの末尾にも「／／」を付加する。このようにして作成されたグループ情報「ＴＮＯ１‐ＴＮＯ２；ＧＲＯＵＰ  Ｎａｍｅ１／／ＴＮＯ３‐ＴＮＯ４；ＧＲＯＵＰ  Ｎａｍｅ２／／ＴＮＯ５‐ＴＮＯ６；ＧＲＯＵＰ  Ｎａｍｅ３／／」に基づいて、３枚のＣＤをディスク別にＭＤ上においてグループ管理することができる。そして、アドレス７８以降には、各曲のＤｉｓｃ  ｎａｍｅ及びＴｒａｃｋ  ｎａｍｅ等のテキスト情報が記述される。
【００５５】
ここで、上述したグルーピングによる自動記録は、本実施の形態では、例えば、ＣＤシステム及びＭＤシステムによる複合システムのシステムコントローラ３（記録管理手段）により行われる。尚、記録管理手段は、システムコントローラ３で構成するのに代えて、ＭＤシステムのＭＤ制御マイコンにより行われる構成とすることも可能である。
【００５６】
図１１は、再生側のＣＤのディスクとトラックとの関係を示している。通常、１枚のディスクに複数のトラックを持つ構成となっており、同図では、複数のトラックを有する３枚のＤｉｓｃ１、Ｄｉｓｃ２及びＤｉｓｃ３を示す。
【００５７】
また、図１２は、記録側のＭＤにおいて、グループ管理をしない場合の従来のディスクとトラックとの関係を示した図である。グループ管理をせずに記録を行った場合は、ＣＤのディスク単位を１つのグループ単位とするグループ構成がＭＤには作成されず、同図に示すように、１枚のＭＤディスクに元のＣＤディスクの区別なくフラットにトラックが記録される。この場合、Ｕ−ＴＯＣのセクタ１及びセクタ４に記録されるＤｉｓｃ  ｎａｍｅの記述欄１７への記述は、前述した基本型に従い、ＭＤのディスク情報「ＭＤ＿Ｄｉｓｃ  ｎａｍｅ」のみである。
【００５８】
次に、図１３に、本発明の第４の実施の形態におけるグループ管理されたＭＤのディスクとトラックとの関係を示す。
【００５９】
グループ管理を行う場合は、ＭＤ内において、１枚のＣＤを１つのグループとして纏め、ＭＤの中に構成されたグループの中にそれぞれ複数のトラックを持つ階層構造をつくる。同図においては、ＭＤのディスク情報１３の下にＭＤのグループ情報１５が構成され、更に、その下にＭＤのトラック情報１４が構成される。また、この場合、Ｕ−ＴＯＣのセクタ１及びＵ−ＴＯＣのセクタ４の前記記述欄１７には、前述した基本型の記述「０；ＭＤ＿Ｄｉｓｃ１  ｎａｍｅ／／１−３；ＣＤ＿Ｄｉｓｃ１  ｎａｍｅ／／４−５；ＣＤ＿Ｄｉｓｃ２  ｎａｍｅ／／６−８；ＣＤ＿Ｄｉｓｃ３  ｎａｍｅ／／」により、ＭＤのディスク情報、グループ化したＣＤのディスク情報、各グループの先頭トラック及び最終トラックが記録される。
【００６０】
以上に示した方法により記録されたグループ管理の情報に基づいて、ＭＤ再生の際、その中に記録された元のＣＤの情報をＣＤのディスク単位で再生することが可能となる。
【００６１】
（第５の実施の形態）
続いて、本発明の第５の実施の形態について説明する。
【００６２】
図１４は、本発明の第５の実施の形態のオーディオシステムにおいて、ＣＤの全ての各種テキスト情報をグループ管理してＭＤに記録する場合のディスクとグループ情報とトラックとの関係を示す。
【００６３】
ＣＤテキストのディスク全体のテキスト情報、例えば、図１４に示した、「ＩＤ１：８０ｈ  ＩＤ２：００ｈ」のディスクタイトル、「ＩＤ１：８１ｈ  ＩＤ２：００ｈ」のアーティスト、「ＩＤ１：８２ｈ  ＩＤ２：００ｈ」の作曲者を、第４の実施の形態の図１０において示したＵ−ＴＯＣのセクタ１、Ｕ−ＴＯＣのセクタ４のＤｉｓｃ  ｎａｍｅの記述欄１７に、各種テキスト情報に基づくグループをシステムで決め、グループ管理をして格納する。図１４は、ＭＤ上に記録されたＣＤの音楽情報をグループ管理している階層構造を示しており、ＣＤのＤｉｓｃ１がＴｒａｃｋ１〜３、Ｄｉｓｃ２がＴｒａｃｋ４〜５、また、Ｄｉｓｃ３がＴｒａｃｋ６〜８、を有する場合を示す。階層は上から、ＭＤのディスク情報１３の階層、ＭＤの各種グループ情報１６の階層、またＭＤのトラック情報１４の階層となっている。ここで、例えば、ＣＤ＿Ｄｉｓｃ１のディスクタイトル名をａａａ１、ＣＤ＿Ｄｉｓｃ２のディスクタイトル名をａａａ２、またＣＤ＿Ｄｉｓｃ３のディスクタイトル名をａａａ３で表し、アーティスト名ｂｂｂ、及び作曲者名ｃｃｃについても同様にＤｉｓｃナンバーを付した識別名で表す。この場合、第４の実施の形態で説明した、ＭＤのＵ−ＴＯＣのセクタ１、Ｕ−ＴＯＣのセクタ４におけるＤｉｓｃ  ｎａｍｅの記述欄１７への記述は、前述した基本型に従い、ＭＤのディスク情報が「０；ＭＤ＿Ｄｉｓｃ１  ｎａｍｅ／／」、また、グループ化したＣＤのディスク情報、各グループの先頭トラック及び最終トラックが「１−３；ａａａ１＆ｂｂｂ１＆ｃｃｃ１／／４−５；ａａａ２＆ｂｂｂ２＆ｃｃｃ２／／６−８；ａａａ３＆ｂｂｂ３＆ｃｃｃ３／／」と表される。
【００６４】
図１５は、本実施の形態において、グループ管理をしてＵ−ＴＯＣのＤｉｓｃｎａｍｅの記述欄１７に格納した全ての各種テキスト情報に基づいて、ＣＤの所定のテキスト情報について、例えば、ディスクタイトル、アーティスト又は作曲者により、ＭＤシステムのテキスト情報を表示し、選択できる様子を示したものである。
【００６５】
従って、第５の実施の形態では、希望のテキスト情報を選択する機能を付加することにより、選択した少なくとも１つのテキスト情報に基づいて、そのテキスト情報に関連付けられたグループ、すなわち、ＭＤ上に記録されたＣＤ毎のグループのうち、希望のＣＤをディスク単位で先頭から再生することが可能となる。
【００６６】
（第６の実施の形態）
更に、本発明の第６の実施の形態について説明をする。
【００６７】
本実施の形態では、ＣＤの記録情報が音楽情報のみであり、テキスト情報をもたない場合を示す。この場合、図１１に示すＣＤのディスク情報１１等のテキスト情報をもたないので、図１３に示すＭＤのグループ情報１５に入るべきデータを受け取ることができない。この場合、オーディオシステムは、ＣＤの必須のデータである先頭トラック番号とＣＤの最終トラック番号とに基づいたグルーピング情報に関連付けて、ディスク単位に識別するデフォルトのグループ名（識別情報）を生成して、付加することにより、第４の実施の形態に示したのと同様に、複数のＣＤの音楽情報がＭＤ上に各々グループ管理される。
【００６８】
また、デフォルトのグループ名を付けるか付けないかの選択機能を設けて、加えて、デフォルトのグループ名をユーザーの指定する識別名に変更する機能を設けると、更に、オーディオシステムに拡張性を持たせることが可能となる。
【００６９】
尚、前記第１から第６までの実施の形態では、再生又は記録されるメディアとして、ＣＤ及びＭＤについて示したが、これら以外の管理情報を有する光ディスク等のメディアについても同様のシステムを構成することが可能である。また、主情報も音楽情報に限られない。
【００７０】
【発明の効果】
以上説明したように、請求項１及び２記載の発明によれば、第１のメディア毎のグループ情報を備えた第２のメディアを自動作成することができるので、編集ツールを用いてマニュアル操作でグループ作成をするために入力する手間を省くことが可能となる。
【００７１】
請求項３記載の発明によれば、ＣＤからＭＤへダビングする際に、オーディオシステムが自動でグループ管理を行うので、グループ情報を書き込むためにＭＤシステムを用いて、マニュアル操作により入力する手間を省くことが可能となる。また、施されたグループ管理により、複数枚のＣＤの多数の楽曲を録音したＭＤを再生する際、ＣＤのディスク単位のグループ管理情報により、ＣＤのディスク単位の頭出しなど所望の再生を容易に行うことが可能となる。
【００７２】
請求項４記載の発明によれば、ＣＤのＬＳＩ装置とＭＤのＬＳＩ装置とを直結することにより全体情報を通信する構成をとるので、ＭＤのＬＳＩ装置でＣＤの全体情報の処理を行うことで、システムをコンパクトなものとすることが可能となる。
【００７３】
請求項５記載の発明によれば、ＣＤ制御マイコンとＭＤ制御マイコンとの間でＣＤの全体情報を通信する構成をとるので、ＣＤ再生装置及びＭＤ録音再生装置の両ＬＳＩは既存のＬＳＩをそのまま使用することができ、容易にＣＤとＭＤとの複合システムを実現することができる。
【００７４】
請求項６記載の発明によれば、オーディオシステムは、ＣＤ再生装置とＭＤ録音再生装置とを制御するシステムコントローラを介して全体情報を通信する構成をとるので、既存のＣＤ再生装置及びＭＤ録音再生装置をユニットとしてそのまま使用することができ、また、パネルコントロール部に変更を加えることで、更にＣＤ再生装置とＭＤ録音再生装置との複合システムの実現が容易になり、装置毎に仕様を作成することができ、ユニークなシステムを作ることが可能となる。
【００７５】
請求項７記載の発明によれば、ディスクタイトル、アーティスト等のＣＤの有する全体情報をオーディオシステムにおいてグループ管理をしてＭＤに記録することにより、ディスクタイトル、アーティスト等のＣＤの全体情報をＭＤに表示させ、その中で選択した情報が記録されていた元のＣＤを再生することができ、使い勝手の良いシステムを構築することが可能となる。
【００７６】
請求項８記載の発明によれば、テキスト情報をもたないＣＤであっても、ＭＤへダビングをする際、ＭＤシステムにおいてＣＤのディスク単位のグルーピングの識別名を付加してＭＤ上に記録するので、ＭＤ再生時にＣＤのディスク単位で管理を行うことができ、ＣＤのディスク単位での頭出しなどの所望の再生を容易に行うことが可能となる。
【図面の簡単な説明】
【図１】本発明の第１の実施の形態におけるＣＤシステムのブロック図である。
【図２】本発明の第１の実施の形態におけるＭＤシステムのブロック図である。
【図３】本発明の第１の実施の形態におけるＣＤからＭＤにテキスト情報を送信する構成例を示す模式図である。
【図４】本発明の第２の実施の形態におけるＣＤからＭＤにテキスト情報を送信する構成例を示す模式図である。
【図５】本発明の第３の実施の形態におけるＣＤからＭＤにテキスト情報を送信す構成例を示す模式図である。
【図６】本発明の第１の実施の形態におけるＣＤのサブコード示す図である。
【図７】本発明の第１の実施の形態におけるＣＤのテキスト情報を記録するために使われるサブコードを示す図である。
【図８】本発明の第１の実施の形態におけるＣＤテキストの構成図を示す図である。
【図９】（ａ）は、本発明の第１の実施の形態におけるＣＤテキストのヘッダーのデータＩＤ１を示す図、
（ｂ）は、本発明の第１の実施の形態におけるＣＤテキストのヘッダーのデータＩＤ２を示す図、
（ｃ）は、本発明の第１の実施の形態におけるＣＤテキストのヘッダーのデータＩＤ３を示す図、
（ｄ）は、本発明の第１の実施の形態におけるＣＤテキストのヘッダーのデータＩＤ４を示す図である。
【図１０】本発明の第４の実施の形態におけるＭＤのＵ−ＴＯＣのセクタ１の構成を示す図である。
【図１１】本発明の第４の実施の形態における再生側のＣＤのディスクとトラックとの関係を示す図である。
【図１２】本発明の第４の実施の形態における記録側のＭＤのグループ管理をしない場合のディスクとトラックとの関係を示す図である。
【図１３】本発明の第４の実施の形態における記録側のＭＤのグループ管理をする場合のディスクとトラックとの関係を示す図である。
【図１４】本発明の第５の実施の形態におけるＣＤの各種テキスト情報をグループ管理する場合のディスクとグループとトラックとの関係を示す図である。
【図１５】本発明の第５の実施の形態におけるＭＤシステムの表示及び選択機能の概略を示す図である。
【符号の説明】
１−１      ＣＤ（第１のメディア）
１−２      ＣＤ制御マイコン
１−３      信号処理装置（ＣＤ用）
１−６      サーボ制御装置（ＣＤ用）
１−１１    ＣＤシステムのＤＡコンバータ
１−１４    ＣＤ  ＬＳＩ
１−１５    ＣＤシステム
２−１      ＭＤ（第２のメディア）
２−２      ＭＤ制御マイコン
２−３      信号処理装置（ＭＤ用）
２−４      音声圧縮伸長装置（ＭＤ用）
２−５      ＤＲＡＭ（ＭＤ用）
２−１１    ＭＤシステムのＤＡ／ＡＤコンバータ
２−１４    ＭＤ  ＬＳＩ
２−１５    ＭＤシステム
３          システムコントローラ（記録管理手段）
４          ＣＤのサブコード
５          ＣＤのサブコードＲ−Ｗ
６          ＣＤテキストのヘッダデータ
７          ＣＤテキストのテキストデータ
８          ＣＤテキストのエラー検出用ＣＲＣデータ
９          ＭＤのＵ−ＴＯＣ１セクタのヘッダデータ
１０        ＭＤのＵ−ＴＯＣ１セクタのデータ
１１        ＣＤのディスク情報
１２        ＣＤのトラック情報
１３        ＭＤのディスク情報
１４        ＭＤのトラック情報
１５        ＭＤのグループ情報
１６        ＭＤの各種グループ情報
１７        記述欄
１８        全体情報通信手段
【図１】
2004355780.tif 000003
【図２】
2004355780.tif 000004
【図３】
2004355780.tif 000005
【図４】
2004355780.tif 000006
【図５】
2004355780.tif 000007
【図６】
2004355780.tif 000008
【図７】
2004355780.tif 000009
【図８】
2004355780.tif 000010
【図９】
2004355780.tif 000011
【図１０】
2004355780.tif 000012
【図１１】
2004355780.tif 000013
【図１２】
2004355780.tif 000014
【図１３】
2004355780.tif 000015
【図１４】
2004355780.tif 000016
【図１５】
2004355780.tif 000017